(57)【特許請求の範囲】
【請求項１】
搬送枠に対しては、入口側が開放されたスリットを有する折曲受け部を設け、吊下治具に対しては、上記スリット内に係入する首部とスリットの両側壁に係止する一対の肩部を有する支持部を設けて、当該支持部と上記折曲受け部の作用で、被表面処理材料を搬送枠に振動可能に吊り下げる被表面処理材料の吊下装置において、上記スリットの開放入口側を吊下治具の横倒し姿勢を規制する規制手段を備える閉塞体で閉塞したことを特徴とする被表面処理材料の吊下装置。
【発明の詳細な説明】
【０００１】
【発明の属する技術分野】
本発明は、例えば、アルミニウム型材などの被表面処理材料を搬送枠に吊り下げて行なうアルマイト処理等において、上記搬送枠に多数の被表面処理材料を振動可能に吊り下げる吊下装置の改良に関するものである。
【０００２】
【従来の技術】
従来のこの種吊下装置として、例えば、実公昭５８−２９１７７号公報に示すものが存する。
該従来の吊下装置は、具体的には図示しないが、搬送枠側にＪ字状を呈する受け金具を設け、吊下治具側に当該受け金具に振動可能に支持されるＴ字状を呈する支持金具を設けることを前提として、前者の受け金具に対しては、下端部を上方に折曲して、当該折曲下端部に入口側が開放された単数のスリットを穿設し、後者の支持金具に対しては、上記受け金具のスリット内に係入する首部と、スリットの両側壁に係止する一対の肩部を形成して、首部を吊下治具に連設する構成となっている。
【０００３】
依って、斯る従来の吊下装置の下では、搬送枠に上記受け金具の上部を一定の間隔をおいて個々に固定して、当該各受け金具のスリット内に吊下治具に連設されている支持金具の首部を係入しながら、該支持金具の各肩部をスリットの両側壁に係止すれば、これにより、吊下治具が搬送枠側に間隔をおいてセットできるので、後は、この各吊下治具で被表面処理材料の上端部を挾持して、縦吊り状態をもって、所定の処理ライン上を移送すれば良い。
【０００４】
しかも、所定の処理ライン上を移送する場合には、搬送枠の移動と連動して、各被表面処理材料も、搬送枠の移動方向と一致する前後方向に振動することとなるが、この前後方向の振動に関しては、支持金具の肩部のスリットの両側壁に対する係止状態を得て、支持金具の首部が受け金具のスリット内で同一方向に振動して、被表面処理材料の振動を吸収することが可能となるので、吊下治具がテコの原理で口開きを起こして、被表面処理材料を落下させたり、吊下治具の口部が損傷することを防止できる利点がある。
【０００５】
【発明が解決しようとする課題】
然し乍ら、縦吊り式の表面処理工程にあっては、表面処理を行なうために、被表面処理材料を吊下治具に取り付ける時でも、表面処理を終了して、被表面処理材料を吊下治具から取り外す時でも、通常は、軽金属出版株式会社発行の「アルミニウム表面技術便覧」等からも明らかな如く、一旦、搬送枠を吊下治具と一緒に横倒し状態に転倒させて、各吊下治具の操作レバーを開閉機で押圧することにより行なっている訳であるが、特に、直線状の処理ライン上を搬送枠が移動する場合には、被表面処理材料の取り付け時と取り外し時では、搬送枠の転倒方向が逆となるように設定されている。
【０００６】
この為、斯る状況下で、今仮に、取り付け時には、受け金具の折曲下端部が上向きとなり、取り外し時には、受け金具の折曲下端部が下向きとなる場合を想定して、従来の吊下装置を稼働させると、取り付け時には、スリットの深さを調整して、当該スリットの終端縁に支持金具の首部を当接させれば、一応、吊下治具の横倒し姿勢を一律に規制できるので、開閉機による吊下治具の操作レバーの押圧にそれ程支障を与えることはないが、取り外し時には、搬送枠の転倒過程で、支持金具の首部が入口側が開放されたスリット内を自由に揺動して、被表面処理材料を挾持する吊下治具の横倒し姿勢が不揃いとなってしまうので、これに伴い、吊下治具が開閉機やその架台と不用意に干渉して、開閉機による操作レバーの押圧に支障を来す恐れが十分にあった。尚、取り付け時と取り外し時の転倒方向が逆になっている場合でも、同様なことが言える。
【０００７】
又、従来の吊下装置にあって、スリットの入口側が開放されていることは、支持金具を受け金具に簡単に支持できる利点を有するが、反面、各処理槽内に被表面処理材料を浸漬したり引き上げる際に、被表面処理材料が誤って処理槽にぶつかって上方に突き上げられると、支持金具の首部が肩部と一緒に受け金具のスリットから容易に抜け外れて、被表面処理材料が落下してしまう恐れも十分にあった。しかも、被表面処理材料が処理槽内に落下すると、処理ライン全体を一旦停止させて、落下した被表面処理材料を回収しなければならないので、処理効率が著しく低下してしまう。
【０００８】
【課題を解決するための手段】
本発明は、斯る従来の吊下装置が抱える課題を有効に解決するために開発されたもので、搬送枠に対しては、入口側が開放されたスリットを有する折曲受け部を設け、吊下治具に対しては、上記スリット内に係入する首部とスリットの両側壁に係止する一対の肩部を有する支持部を設けて、当該支持部と上記折曲受け部の作用で、被表面処理材料を搬送枠に振動可能に吊り下げる被表面処理材料の吊下装置を前提として、上記スリットの開放入口側を吊下治具の横倒し姿勢を規制する規制手段を備える閉塞体で閉塞する構成を採用した。
【０００９】
依って、本発明にあっては、例え、搬送枠の転倒に際して、折曲受け部が下向き、即ち、スリットの開放入口側が下向きとなっていても、支持部の首部がスリットの開放入口側を閉塞している閉塞体の規制手段に当接して、吊下治具の横倒し姿勢を一律に規制できるので、開閉機による吊下治具の操作レバーの押圧に支障を与えることがなくなる。
又、処理槽内に被表面処理材料を浸漬したり引き上げる際に、被表面処理材料が誤って処理槽にぶつかって上方に突き上げられたとしても、閉塞体の存在によって、支持部の首部が折曲受け部のスリットから抜け外れることが決してないので、突き上げに起因した被表面処理材料の落下をも有効に防止できる。
【００１０】
【発明の実施の形態】
以下、本発明を図示する好適な実施の形態に基づいて詳述すれば、該実施の形態に係る吊下装置も、基本的には、搬送枠側に折曲受け部となる受け金具を設け、吊下治具側に支持部となる支持金具を設けて、当該支持金具を上記受け金具に振動可能に支持するものではあるが、特徴とするところは、以下の構成を採用した点にある。
【００１１】
まず、受け金具１に関しては、図１に示す如く、従来と異なり、銅板により一定の巾寸法を有する広巾体として成形し、その下端部を略Ｖ字状に連続して折曲して、当該折曲下端部に一定の間隔をおいて入口２ａ側が開放された複数のスリット２を所望の深さをもって穿設すると共に、当該各スリット２間に画成される折り返し壁３に後述する閉塞体を固定するボルト１６の挿通孔４を開設する構成となっている。
【００１２】
又、支持金具６に関しては、図２に示す如く、上記各スリット２内に係入される板状の首部７を吊下治具１０から一体に連設して、当該首部７の上部両側にスリット２の両側壁に内側から摺動可能に係止する一対の円筒状を呈する肩部８を突設すると共に、同下部両側に上記スリット２の両側壁に外側から当接する一対のガイドローラ９を回転可能に設ける構成となっている。尚、この支持金具６を連設する吊下治具１０については、図示するものに限定されるものではないが、少なくとも、被表面処理材料の上端部をばね圧を介して挾持する挾持爪１１と、該挾持爪１１を開閉する操作レバー１２とを有するものとする。
【００１３】
従って、本実施の形態にあっても、支持金具６の首部７を受け金具１の各スリット２内に個々に係入して、対応するスリット２の両側壁に一対の肩部８を係止すれば、支持金具６が吊下治具１０と一緒に受け金具１に一定の間隔をおいて振動可能に支持されることとなる。
【００１４】
そして、本実施の形態にあっては、斯る構成を前提として、上記受け金具１側に各スリット２の開放入口２ａ側を閉塞する閉塞体１３を装着することを特徴とするもので、当該閉塞体１３は、図１に示す如く、ステンレス板により受け金具１の巾寸法に対応した大きさの薄肉プレート体として成形されて、下端部１３ａを一定の傾斜角度をもって外方に折曲して、当該下端部１３ａを吊下治具１０の横倒し姿勢を規制する規制手段となすと共に、上部側に上記受け金具１側の挿通孔４と対応するボルト１６の挿通孔１４を開設する構成となっている。
【００１５】
但し、本実施の形態にあっては、その同一の巾寸法において、受け金具１と閉塞体１３とを完全に一致させずに、折り返し壁３の半分だけ左右に位置をずらして装着することに立脚している関係で、両端部に開設される挿通孔１４は半円状となっているが、巾寸法において完全に一致させて、全ての挿通孔１４を正円となすことも実施に応じ任意である。又、閉塞体１３の下端部１３ａを折曲せずに、ストレート状の下端縁をそのまま上記した規制手段として利用することも可能である。
【００１６】
依って、本実施の形態に係る吊下装置にあっては、図３に示す如く、搬送枠１５の下面に連続して垂設された取付片１５ａに、上記受け金具１をその上部の取付孔５を利用して搬送枠１５の長手方向に順に固定して、当該受け金具１の各スリット２内に支持金具６の首部７を係入した後、閉塞体１３の挿通孔１４と受け金具１の挿通孔４を利用して、当該閉塞体１３を受け金具１の折り返し壁３にボルト１６・ナット１７を介して固定すれば、これにより、各スリット２の開放入口２ａ側が連続して確実に閉塞されると同時に、各支持金具６が対応する吊下治具１０と一緒に受け金具１に抜け外れの恐れなく振動可能に支持されることとなる。
【００１７】
尚、この場合には、本実施の形態にあっては、既述した如く、受け金具１と閉塞体１３とをその巾寸法において完全に一致させずに、折り返し壁３の半分だけ左右に位置をずらして装着する構成を採用している関係で、隣接する受け金具１同士に対しては、上記したずれ分だけ、閉塞体１３が股がって固定されることとなる。
【００１８】
そして、実際の稼働に際して、今仮に、被表面処理材料Ｗの取り付け時には、受け金具１の折曲下端部が上向きとなり、同取り外し時には、受け金具１の折曲下端部が下向きとなる場合を想定すると、被表面処理材料Ｗの取り付け時には、従来と同様に、図４に示す如く、各スリット２の終端縁２ｂに対する支持金具６の首部７の当接で、吊下治具１０の横倒し姿勢を一律に規制することが可能となるので、搬送枠１５に多数の吊下治具１０がセットされていても、開閉機（図示せず）による吊下治具１０の操作レバー１２に対する押圧Ｆに支障を与えることがない。
【００１９】
又、被表面処理材料Ｗの取り外し時には、例え、受け金具１の折曲下端部が下向き、即ち、スリット２の開放入口２ａ側が下向きとなっていても、今度は、図５に示す如く、支持金具６の首部７が閉塞体１３の一定の傾斜角度をもって折曲された下端部１３ａに当接して、やはり、吊下治具１０の横倒し姿勢を一律に規制できるので、取り付けの場合と同様に、開閉機による吊下治具１０の操作レバー１２に対する押圧Ｆに支障を与えることがない。
【００２０】
従って、本実施の形態の下では、従来の如く、搬送枠１５の転倒過程で、支持金具６の首部７が入口２ａが開放されたスリット２内を自由に揺動して、被表面処理材料Ｗを挾持している吊下治具１０の横倒し姿勢が不揃いとなって、吊下治具１０が開閉機やその架台と不用意に干渉して、開閉機による操作レバー１２の押圧に支障を来すことが有効に防止できる訳である。尚、取り付け時と取り外し時における搬送枠１５の転倒方向が逆になっている場合でも、同様な効果が期待できることは言うまでもない。
【００２１】
又、搬送枠１５を起立させて、所定の処理ライン上を移送する場合には、搬送枠１５の移動と連動して、被表面処理材料Ｗも、搬送枠１５の移動方向と一致する前後方向に振動することとなるが、本実施の形態の下でも、図６に示す如く、支持金具６の肩部８のスリット２の両側壁に対する係止状態を得て、支持金具６の首部７が受け金具１のスリット２内で同一方向に振動して、被表面処理材料Ｗの振動を吸収することができるので、吊下治具１０が口開きを起こして、被表面処理材料Ｗを落下させたり、吊下治具１０の挾持爪１１が損傷することを防止できる。この支持金具６の振動は、ガイドローラ９によっても円滑に促されることとなる。
【００２２】
尚、被表面処理材料Ｗの振動は、スリット２の終端縁２ｂと閉塞体１３の下端部１３ａの範囲内で許容されることとなるので、上記した横倒し姿勢の規制との関連を加味して、スリット２の深さや閉塞体１３の下端部１３ａの傾斜角度を自在に決定するものとする。
【００２３】
そして、各処理槽（図示せず）内に被表面処理材料Ｗを浸漬したり引き上げる際に、仮に、被表面処理材料Ｗが処理槽にぶつかって上方に突き上げられたとしても、スリット２の開放入口２ａを閉塞する閉塞体１３の存在によって、支持金具６の首部７が肩部８と一緒に受け金具１のスリット２から抜け外れることが決してないので、従来の如く、被表面処理材料Ｗの落下に起因して、一旦、処理ライン全体を停止させて、落下した被表面処理材料Ｗを回収する必要も全くなくなる。従って、これにより、処理効率が低下する心配も併せて解消できる。
【００２４】
又、上記した実施の形態にあっては、受け金具１を広巾体となして、当該広巾体の受け金具１に複数のスリット２を穿設したものであるが、本発明は、これに限定されるものではなく、従来の如く、単数のスリット２を穿設した狭巾体となしたり、或いは、搬送枠１５の取付片１５ａ等に受け金具１の構成を直に付与することも可能である。又、支持金具６に関しても、吊下治具１０とは連設せずに、別体に成形して、後から、吊下治具１０に連結することも可能であるし、且つ、支持金具６の肩部８の形状についても、円筒状に限定されるものではなく、平板状やその他の異形状であっても良い。
【００２５】
【発明の効果】
以上の如く、本発明は、上記構成の採用により、例え、搬送枠の転倒に際して、折曲受け部が下向きとなっていても、支持部の首部がスリットの開放入口側を閉塞する閉塞体の規制手段に当接して、吊下治具の横倒し姿勢を一律に規制することが可能となるので、開閉機による吊下治具の操作レバーの押圧に支障を与えることがなくなった。
【００２６】
又、処理槽内に被表面処理材料を浸漬したり引き上げる際に、被表面処理材料が誤って処理槽にぶつかって突き上げられたとしても、スリットの開放入口側を閉塞する閉塞体の存在によって、支持部の首部が折曲受け部のスリットから抜け外れることが決してないので、突き上げによる被表面処理材料の落下をも有効に防止できることとなった。
【図面の簡単な説明】
【図１】本発明の実施の形態に係る吊下装置に供せられる受け金具と閉塞体を示す分解斜視図である。
【図２】同吊下装置に供せられる支持金具と吊下治具を示す斜視図である。
【図３】支持金具を吊下治具と一緒に搬送枠に固定された受け金具に支持した状態を示す要部斜視図である。
【図４】被表面処理材料の取り付け時における転倒状態を説明する要部断面図である。
【図５】被表面処理材料の取り外し時における転倒状態を説明する要部断面図である。
【図６】被表面処理材料の吊り下げ状態を説明する要部断面図である。
【符号の説明】
１      受け金具（折曲受け部）
２      スリット
２ａ    スリットの開放入口
２ｂ    スリットの終端縁
３      折り返し壁
４      挿通孔
５      取付孔
６      支持金具（支持部）
７      首部
８      肩部
９      ガイドローラ
１０    吊下治具
１１    挾持爪
１２    操作レバー
１３    閉塞体
１３ａ  閉塞体の下端部（規制手段）
１４    挿通孔
１５    搬送枠
１５ａ  取付片
１６    ボルト
１７    ナット
Ｗ      被表面処理材料
【図１】
0003734931.tif 000002
【図２】
0003734931.tif 000003
【図３】
0003734931.tif 000004
【図４】
0003734931.tif 000005
【図５】
0003734931.tif 000006
【図６】
0003734931.tif 000007